(57)【要約】本発明は、オーディオ及び／又はビデオ番組（５）用の受信器（１）へ組み込まれ、各ファイルが当該番組のうちの少なくとも一つに対応するオーディオ及び／又はビデオファイルを制御するシステム（３）に関する。システムは、対応する番組からのファイルに関連する情報を抽出する手段（１２）と、ファイルコマンドを有効とする手段（１４）と、このようにして命令されたファイルの流れ（６）の記録媒体（４）へのダウンロードをトリガする手段（１６）とを含む。本発明はまた、番組を伝送する装置及び方法、並びに、対応するファイルの流れを伝送するユニットに関連する。本発明は、テレビジョン、ラジオ、及びホームコンピュータに使用されうる。
2004526361.tif 000002
【特許請求の範囲】
【請求項１】
リアルタイムで放送されるオーディオ及び／又はビデオ番組（５）用の受信器（１）へ組み込まれることが意図された、有利にはＭＰ３標準に準拠して圧縮されたオーディオファイルを含むオーディオ及び／又はビデオファイル（Ｆ）の注文システム（３）であって、
前記注文システム（３）は、
ユーザにより前記オーディオ及び／又はビデオファイル（Ｆ）のうちの少なくとも一つの注文を有効とする手段（１４）と、
前記有効化手段（１４）によって作動されるよう設計され、前記注文されたファイル（Ｆ）の列（６）を記録媒体（４）へダウンロードする動作を引き起こすトリガ手段（１６）とを含み、
前記オーディオ及び／又はビデオファイル（Ｆ）の夫々は前記放送オーディオ及び／又はビデオ番組（５）のうちの一つに対応し、前記注文システム（３）は前記ファイル（Ｆ）に対応する前記オーディオ及び／又はビデオ番組（５）のうちの一つからの前記オーディオ及び／又はビデオファイル（Ｆ）に関する情報を抽出する手段（１２）を含み、前記抽出手段（１２）は前記トリガ手段（１６）に接続されることを特徴とするシステム。
【請求項２】
前記トリガ手段（１６Ａ，１６Ｂ）は前記オーディオ及び／又はビデオファイル（Ｆ）のうち少なくとも幾つかを提供することが可能な少なくとも一つの源（２０）のためのアドレッシングモジュール（３０）を含むことを特徴とする、請求項１記載のシステム。
【請求項３】
放送されたオーディオ及び／又はビデオ番組（５Ａ）のうちの少なくとも幾つかは前記番組（５Ａ）に対応するオーディオ及び／又はビデオファイル（Ｆ）を識別する信号（２３）の担体であり、前記抽出手段（１２Ａ）は、前記識別信号（２３）から前記情報を抽出し、前記情報をトリガ手段（１６Ａ）へ送信するよう設計されることを特徴とする、請求項２記載のシステム。
【請求項４】
前記識別信号（２３）は、前記識別信号（２３）に関連する前記オーディオ及び／又はビデオファイル（Ｆ）を提供することが可能な少なくとも一つのサーバ（２０）の少なくとも一つのアドレスを含み、
抽出手段（１２Ａ）は前記サーバ（２０）のアドレスを抽出し、前記アドレスをトリガ手段（１６Ａ）へ送信するよう設計され、
アドレッシングモジュール（３０）は前記識別信号（２３）に関連する前記オーディオ及び／又はビデオファイル（Ｆ）を前記サーバ（２０）から要求するよう設計されることを特徴とする、請求項３記載のシステム。
【請求項５】
情報抽出手段（１２Ｂ）は、前記オーディオ及び／又はビデオ番組（５Ｂ）のうちの少なくとも幾つかを自動認識するモジュール（３１）と、前記番組（５Ｂ）に関する前記情報を割り当てるモジュール（３２）とを含み、前記情報割当てモジュール（３２）は前記自動認識モジュール（３１）に接続されることを特徴とする、請求項２乃至４のうちいずか一項記載のシステム。
【請求項６】
前記受信器（１Ｃ）は、リアルタイムで前記ファイル（Ｆ）に対応するオーディオ及び／又はビデオ番組（５Ｃ−５Ｅ）と同時に放送された前記オーディオ及び／又はビデオファイル（Ｆ）のうちの幾つかの列（６Ｃ−６Ｅ）を受信することが可能であり、トリガ手段（１６Ｃ−１６Ｅ）は、前記オーディオ及び／又はビデオファイル（Ｆ）を前記列（６Ｃ−６Ｅ）によってダウンロードすることを可能とするよう、前記受信器（１）を前記番組（５Ｃ−５Ｅ）に対応するファイル（Ｆ）の前記列（６Ｃ−６Ｅ）へ分岐させることが可能であることを特徴とする、請求項１乃至５のうちいずれか一項記載のシステム。
【請求項７】
前記オーディオ及び／又はビデオ番組（５Ｃ−５Ｅ）は前記列（６Ｃ−６Ｅ）と結びつけられたリンク信号（２４）の担体であり、前記抽出手段（１２Ｃ−１２Ｅ）は前記リンク信号（２４）を抽出するよう設計されることを特徴とする、請求項６記載のシステム。
【請求項８】
前記受信器（１）はディジタルデコーダと切換ブロック（３５）とを含み、前記切換ブロック（３５）は、トリガ手段（１６Ｅ）が有効化手段（１４）によって作動されたときは前記デコーダを前記オーディオ及び／又はビデオ番組（５Ｅ）のうちの少なくとも一つから前記オーディオ及び／又はビデオ番組に対応するファイル（Ｆ）の列（６Ｅ）へ切り換え、前記番組に関連する前記ファイル（Ｆ）のダウンロードが完了したときは前記デコーダを前記列（６Ｅ）から前記番組（５Ｅ）へ切り換えることを特徴とする、請求項６又は７記載のシステム。
【請求項９】
ユーザ宛のメッセージを生成する手段（１３）を含み、前記メッセージは前記オーディオ及び／又はビデオ番組（５）の受信中に有効化（１４）手段が使用されうることを前記ユーザに示すことを特徴とする、請求項１乃至８のうちいずれか一項記載のシステム。
【請求項１０】
ダウンロードされたオーディオ及び／又はビデオファイル（Ｆ）を記録媒体（４）へ記録することを注文する手段を含み、前記記録を注文する手段（１５）はオーディオ及び／又はビデオ番組（５）に関する詳細情報及び／又は前記ファイル（Ｆ）のダウンロードの条件に関する詳細情報を前記ファイル（Ｆ）に補足するよう設計されている、請求項１乃至９のうちいずれか一項記載のシステム。
【請求項１１】
オーディオ及び／又はビデオ番組（５Ａ）を放送する装置（２１Ａ）であって、
前記オーディオ及び／又はビデオ番組（５Ａ）に前記番組に対応するオーディオ及び／又はビデオファイル（Ｆ）を識別する信号（２３）を組み込む手段（２２）を含み、前記装置は望ましくは請求項３又は４記載のファイル（Ｆ）の注文システム（３）と協働することが意図されることが望ましいことを特徴とする、装置。
【請求項１２】
オーディオ及び／又はビデオのファイル（Ｆ）の列（６Ｃ−６Ｅ）を伝送する伝送組立体（２８）であって、
伝送されるオーディオ及び／又はビデオ番組（５Ｃ−５Ｅ）に対応するオーディオ及び／又はビデオファイル（Ｆ）の列（６Ｃ−６Ｅ）を伝送する手段（２５）と、
伝送手段（２５）と協働し、ファイル（Ｆ）の列（６Ｃ−６Ｅ）が前記対応する番組（５Ｃ−５Ｅ）と同時に伝送されるよう前記ファイル（Ｆ）の伝送を管理することが可能な同期手段（２６）とを含み、
前記装置は請求項６乃至８のうちいずれか一項記載のファイル（Ｆ）の注文システム（３）と協働することが意図されることが望ましいことを特徴とする、伝送組立体（２８）。
【請求項１３】
前記番組（５Ｃ−５Ｅ）の夫々に放送中に、前記番組に対応する前記オーディオ及び／又はビデオファイル（Ｆ）をループ式に伝送するよう設計されることを特徴とする、請求項１２記載の伝送組立体（２８）。
【請求項１４】
前記オーディオ及び／又はビデオ番組（５Ｃ）を放送する手段（２１Ｃ）と、ファイル（Ｆ）の列（６Ｃ）を伝送する手段（２５）及び番組（５Ｃ）を放送する手段（２１Ｃ）と協働し、オーディオ及び／又はビデオ番組（５Ｃ）及び対応するファイル（Ｆ）を同じトランスポートストリーム（７）上に多重化する多重化手段（２７）とを含むことを特徴とする、請求項１２又は１３記載の伝送組立体（２８Ｃ）。
【請求項１５】
リアルタイムで放送されるオーディオ及び／又はビデオ番組（５）用の受信器（１）に組み込まれることが意図されたソフトウエア製品であって、
前記ソフトウエア製品は、請求項１乃至１０のうちいずれか一項記載の注文システム（３）の情報の抽出手段（１２）を具現化することが可能な、前記オーディオ及び／又はビデオ番組（５）に対応するオーディオ及び／又はビデオファイル（Ｆ）に関する情報の抽出機能を含むことを特徴とするソフトウエア製品。
【請求項１６】
前記番組（５）に対応する少なくとも１つのオーディオ及び／又はビデオファイル（Ｆ）を識別する信号（２３）の担体であり、
前記オーディオ及び／又はビデオ番組は、望ましくは、請求項１０記載の放送装置（２１Ａ）によって取得され、及び／又は、請求項３又は４記載の注文システム（３）のためのものであることを特徴とする、オーディオ及び／又はビデオ番組（５）。
【請求項１７】
少なくとも１つのオーディオ及び／又はビデオ番組（５Ｃ）、並びに、前記番組（５Ｃ）に対応する少なくとも１つのオーディオ及び／又はビデオファイル（Ｆ）を多重化したものを含み、望ましくは請求項１４記載の伝送組立体（２８Ｃ）によって取得され、及び／又は、請求項７記載の注文システム（３）のためのものであることを特徴とする、トランスポートストリーム（７）。
【請求項１８】
請求項１乃至１０のうちいずれか一項記載の注文システム（３）を含むことを特徴とする、オーディオ及び／又はビデオ番組（５）の受信器（１）。
【請求項１９】
ＲＦ又はディジタルテレビジョン、ＲＦ又はディジタルラジオ、ホームコンピュータ、並びに、ディジタルデコーダのうちから選択されることを特徴とする、請求項１８記載の受信器（１）。
【請求項２０】
記録媒体（４）へダウンロードされるファイル（Ｆ）を管理する管理システム（１８）を含み、
前記管理システム（１８）は、
ダウンロードされたファイル（Ｆ）をユーザによって照会可能な少なくとも１つのリストへ自動的に追加し、
前記リストに含まれたファイル（Ｆ）を前記ユーザが削除することを許可し、
前記ユーザからの要求に応じて、前記リストに含まれる各ファイル（Ｆ）の読み出しを許可するよう設計されることを特徴とする、請求項１８又は１９記載の受信器（１）。
【請求項２１】
オーディオ及び／又はビデオ番組（５Ａ）を放送する方法であって、
前記番組（５Ａ）に対応する少なくとも１つのオーディオ及び／又はビデオファイル（Ｆ）を識別する少なくとも１つの信号（２３）が放送の前に前記番組（５Ａ）に組み込まれ、前記方法は、望ましくは請求項３又は４記載の注文システム（３）のためであることを特徴とする方法。
【請求項２２】
オーディオ及び／又はビデオ番組（５Ｃ）を放送する方法であって、
放送前に、前記オーディオ及び／又はビデオ番組（５Ｃ）は前記番組（５Ｃ）に対応する少なくとも１つのオーディオ及び／又はビデオファイル（Ｆ）と多重化され、前記方法は望ましくは請求項７記載の注文システム（３）のためであることを特徴とする方法。
【発明の詳細な説明】
【０００１】
本発明は、リアルタイムで放送されるオーディオ及び／又はビデオ番組の受信器へ組み込まれることが意図された、オーディオ及び／又はビデオファイルの注文システム、並びに、対応するソフトウエア製品及び対応する受信器に係る。本発明はまた、番組を放送する装置及び方法、並びに、ファイル列を伝送する組立体に係る。本発明はまた、放送装置又は伝送組立体によって生成されうるオーディオ及び／又はビデオ番組、並びに、トランスポートストリームに関連する。
【０００２】
オーディオ及び／又はビデオ番組の受信器から直接オーディオ及び／又はビデオファイルを注文することが可能であれば便利であり良いことである。従って、米国特許第６，０６７，５６２号では、ユーザがデータベースへ、またラジオ放送局へ接続し、自分がラジオ放送で聞いた楽曲をデータベースから選択することを可能とするシステムが提案されている。これらの楽曲は、電話網やインタラクティブなケーブルテレビジョン網といった通信網を通じてユーザへ送信される。
【０００３】
国際公開第００／１１８７１号には、プロバイダのサイトから入手可能なファイルのリストから選択されたファイルを例えばインターネットといった通信網を介してユーザが要求及びダウンロードすることを可能とするシステムが記載されている。ファイルは、例えばテレビジョン受像機やオーディオ機器といったローカルな装置へダウンロードされ、そこで復号され、デコードされ、ローカルな放送（画面表示及び／又は視聴）のために使用されうる。
【０００４】
既存の技術は、ユーザが自分の望むオーディオ及び／又はビデオファイルを、例えば放送中に対応するプログラムを見つけ認識した後に、遠隔に取得することを可能とする。しかしながら、注文には、ユーザ側での幾つかの煩わしい操作が要求される。特に、第一に、ユーザは、特定のサイトへ接続することにより入手可能なファイルのリストを照会せねばならない。第二に、ユーザは自分がダウンロードしようとするファイルを識別せねばならないが、これはユーザがファイルの正確な参照場所を知らない場合や、与えられる表示が明示的であってもユーザが必要な情報のうち幾らかだけを知っている場合は（例えばユーザが歌手の名前を正確には覚えていない場合）おそらく時間がかかり、複雑なものとなるであろう。最後に、ユーザはプロバイダのサイトで注文を有効とせねばならず、その後に接続を切断しうる。
【０００５】
いずれにしても、ユーザが進行中の番組のうちの１つに関する注文について考えている場合は、かかるアプローチは進行中の番組の監視にはほとんど適合できない。ユーザは、必要な操作を行うために進行中の番組の監視を止めるか、全ての必要な情報にタグ付けしそれらのログを保存することに留意して後に注文を再発行せねばならない。
【０００６】
本発明は、リアルタイムで放送されるオーディオ及び／又はビデオ番組用の受信器へ組み込まれることが意図され、所望のファイルのタグ付けの手間を必要としない単純な操作でユーザが受信される番組に対する注文を行うことを可能とする、オーディオ及び／又はビデオファイルの注文システムに関する。
【０００７】
本発明の注文システムは、進行中の番組の監視を中断する必要なしに、また、同時に並行する操作に集中することを強いられることによりユーザの注意を逸らす必要なしに、放送された番組のかかる注文を可能とする。
【０００８】
本発明はまた、本発明の注文システムの様々な実施例を実施することを可能とする、番組を放送する装置及び方法、並びに、ファイル列を伝送する組立体と、本発明による放送装置及び伝送組立体により夫々生成されうる番組及びトランスポートストリームとに関する。
【０００９】
本発明の主題はまた、番組受信器に組み込まれることが意図され、本発明の注文システムの機能を実行することが可能なソフトウエア製品、並びに、かかる注文システムを含む番組受信器である。
【００１０】
これは、特に、ＲＦ又はディジタルテレビジョン、ＲＦ又はディジタルラジオ、及び、ホームコンピュータの分野に適用される。
【００１１】
従って、本発明の主題は、リアルタイムで放送されるオーディオ及び／又はビデオ番組用の受信器へ組み込まれることが意図された、オーディオ及び／又はビデオファイルの注文システムである。注文システムは、
ユーザにより前記オーディオ及び／又はビデオファイルのうちの少なくとも一つの注文を有効とする手段と、
有効化手段によって作動されるよう設計され、注文されたファイルの列を記録媒体へダウンロードする動作を引き起こすトリガ手段とを含む。
【００１２】
本発明によれば、オーディオ及び／又はビデオファイルの夫々は放送オーディオ及び／又はビデオ番組のうちの一つに対応し、注文システムはファイルに対応するオーディオ及び／又はビデオ番組のうちの一つからのオーディオ及び／又はビデオファイルに関する情報を抽出する手段を含む。抽出手段はトリガ手段に接続される。
【００１３】
オーディオ及び／又はビデオファイルは、特にＭＰ３標準に準拠して圧縮されたオーディオファイルから構成されると有利であり、するとこれらのファイルは音楽を含むことが望ましい。このようなファイルの注文は、例えばテレビジョン上でのビデオクリップの放送中に行われる。ファイルはまた、映画又はドキュメンタリーといった視聴覚情報を含みうる。
【００１４】
既存のシステムと比較すると、受信される番組と注文されるべき１つ又はそれ以上のファイルとの間に、情報抽出手段によって直接的にリンクが確立される。このリンクの確立は、ユーザに対してトランスペアレントでありえ、ユーザは注文を有効化するだけでよい。
【００１５】
このシステムは、ユーザにとって実施をかなり容易とすることができ、ユーザはサイトへの接続やファイルのリストからのタグ付けについて気にする必要はない。更に、このシステムは、例えばマルチウィンドウモードでファイル注文操作のためにウィンドウが予約される場合に必要なようにユーザがこれらの番組を見ること及び／又は聴くことに対して注意をゆるめることはなしに、ユーザが番組受信モードを維持させることを可能とする。
【００１６】
受信される番組の直接的な記録に対して、本発明の注文システムはまた非常に有利である。特に、
・放送しているチャンネルにユーザが接続したときに既に放送が始まっていても放送全体を得ることが可能となり、
・番組自体よりも望ましい用途に適したファイルを得ることができ、例えばビデオクリップの記録の代わりにＭＰ３ファイルを得ることができ、
・放送の開始時点に正確に記録を始めるためのユーザ側における同期のための努力を特に必要とせず、
・例えばフランス語で字幕が付けられた映画のオリジナル版の体系的な注文といった特定的な注文パラメータを予め設定することを可能とし、
・記録装置の独占を防止し、
・各記録のための設定（特にチャンネルの設定）を必要としなくてもよい。
【００１７】
注文システムに含まれる上述の又は後述する様々な実体は、機能的な意味で理解されるべきである。従って、ソフトウエアや電子カードは幾つかの役割を同時に担い、例えば有効化、トリガ、及び抽出手段に特定的な機能のうちの少なくとも幾つかを含みうる。
【００１８】
記録媒体は、有利にはハードディスクであるが、例えばカセットや、ＣＤ又はＤＶＤタイプの光ディスクといったリムーバブルな媒体でありうる（その場合、受信器には適したライタ（ｗｒｉｔｅｒ）が設けられる）。
【００１９】
第１の記録の形式では、この媒体は注文システムを含む受信器（以下「注文受信器」と称する）に含まれる。第２の記録の形式では、これは受信器の外部にある。その場合、ファイルは、例えばローカルサーバ又は他の受信器上に配置された外部記録媒体へ直接ダウンロードされるか、まず注文受信器へダウンロードされて次に例えば他の受信器中に設けられた外部記録媒体へ転送される。従って、例えば、注文受信器は、ＵＳＢ又はＩＥＥＥ１３９４タイプのインタフェースを有するディジタルデコーダであり、受信されるＭＰ３ファイルは、おそらくはＭＰ３ウォークマン又は他の互換性のある機器へ伝送される。
【００２０】
本願では「番組」という用語は、放送装置によって放送され受信器によって受信されるよう設計された例えば映画、楽曲、報道等の所与の伝送を信号の形で含み、この伝送をこの受信器のユーザへリアルタイムで放送することを可能とするものであることを意味する。「番組」は、望ましくは、圧縮されたディジタル信号からなり、受信器にデコーダが設けられることが望ましい。番組の放送は、特に空中波又はケーブル（例えばＤＶＢ放送標準に準拠する）によって、又は、インターネットといった伝送網によって行われうる。
【００２１】
「ファイル」という用語は、リアルタイムでの伝送の放送とは別に転送することを許可する、望ましくは圧縮されたディジタル形式であるディジタル伝送に関する情報のバッチを意味すると理解される。従って、このようなファイルの転送は、対応する番組の放送よりもはるかに高速でありうる。ファイルの放送は、以下説明するように、番組を転送する経路とは独立に又は別の経路で、特にインターネット、空中波、又はケーブル（例えばＤＶＢ標準規格に従う）といったメッセージ網を介して行われうる。
【００２２】
「ＭＰ３標準」（ＭＰＥＧ１ Ａｕｄｉｏ Ｌａｙｅｒ ３）という表現は、基本的なＭＰ３ディジタルオーディオ圧縮形式（１９９５年に開始）、並びに、この形式の改善されたより新しいバージョン、例えばｍｐ３ＰＲＯ形式（２００１年に開始）を意味すると理解される。
【００２３】
望ましい実施例の第１のカテゴリでは、トリガ手段はオーディオ及び／又はビデオファイルのうちの少なくとも幾つかを与えることが可能な少なくとも一つの源のためのアドレッシングモジュールを含む。
【００２４】
ダウンロード動作は、当業者によって周知のインタラクティブなテレビジョンシステムの場合のように、源の側で課金されることが望ましい。有利には、ユーザは、かかるサービスへのクライアント加入者であり、ファイルの源は接続中にクライアントを識別する装置を有する。各ダウンロードに対しては、例えば電話の通話の費用が課金される。
【００２５】
このように、この第１のカテゴリの第１の形式では、放送されるオーディオ及び／又はビデオ番組のうちの少なくとも幾つかは当該番組に対応するオーディオ及び／又はビデオファイルを識別する信号の担体であり、抽出手段はこの識別信号からこの情報を抽出し、この情報をトリガ手段へ伝送するよう設計される。
【００２６】
従って、この実施例は番組伝送装置のレベルにおける適応を必要としている。所与の番組に対する識別信号は、例えば番組に関連するファイル（又は複数のファイル）及びこのファイルの参照情報（識別コード）を与えることが可能なデータサーバのアドレスを含む。
【００２７】
望ましくは、この第１の実施例では、識別信号は、当該識別信号に関連するオーディオ及び／又はビデオファイルを与えることが可能な少なくとも一つのサーバの少なくとも一つのアドレスを含み、
抽出手段はサーバのアドレスを抽出し、アドレスをトリガ手段へ送信するよう設計され、
アドレッシングモジュールは識別信号に関連するオーディオ及び／又はビデオファイルをサーバから要求するよう設計される。
【００２８】
変形例では、ファイルの源は、識別信号がサーバアドレッシング情報を含まないように、アドレッシングモジュールのレベルで予め決められる。
【００２９】
第１のカテゴリの第２の望ましい実施例によれば、情報抽出手段は、オーディオ及び／又はビデオ番組のうちの少なくとも幾つかを自動認識するモジュールと、番組に関する情報を割り当てるモジュールとを含み、情報割当てモジュールは自動認識モジュールに接続される。
【００３０】
従って、情報抽出手段は、注文されるべきファイルに関する情報を自動的に決定し、受信される番組中に特定の識別信号が含まれることはない。このように、番組伝送装置のレベルでは特に適応は必要とされない。一方で、注文システムはより複雑である。
【００３１】
この第２の実施例の有利な配置は、電子番組ガイド（ＥＰＧ）を使用することに依存する。このようなガイドは、種々のチャンネル（ＴＶ又はラジオ）で受信される番組についてのスケジュールを確実とすることを可能とする。
【００３２】
特定的な実施では、情報を割り当てるモジュールは、ＥＰＧによって示される番組に関連する種々のファイルについてのアドレッシング情報を予め受信し、これらをメモリに格納する。この情報は、例えばインターネットといったメッセージ網を介して、或いは特定の伝送路によって通信される。ユーザに関する番組の受信中、自動認識モジュールは、ＥＰＧと共に放送された番組を決定し、情報割当てモジュールにおいてこの番組に対してファイルアドレッシング情報が利用可能であることを確認する。このような場合、割当てモジュールは必要とされる情報を提供する。例えば、番組はＴＶ上で放送され（映画、報道、討論等）、アドレッシング情報のダウンロードは一日に一回、又は、一週間に一回の割合で行われる。他の例では、番組はＴＶで放送されるビデオクリップであるかラジオで放送される楽曲であり、アドレッシング情報のダウンロードは一時間に一回から一日に一回の割合で行われる。
【００３３】
変形例として、アドレッシング情報はダウンロードされず、ＥＰＧにおいて直接入手可能である。他の変形例では、ＥＰＧは注文システムによっては使用されず、ダウンロードされたアドレッシング情報は、特にスケジュール及びチャンネルに関連する全ての有用な情報を含む。
【００３４】
望ましい実施例の第２のカテゴリでは、受信器はリアルタイムで放送されるオーディオ及び／又はビデオファイルのうちの少なくとも幾つかの列を、当該ファイルに対応するオーディオ及び／又はビデオと同時に受信することが可能であり、トリガ手段は、当該の列による当該オーディオ及び／又はビデオファイルのダウンロードを可能とするよう、受信器を番組に対応するファイルの列へ分岐させることが可能である。
【００３５】
このように、第１のカテゴリの実施例と対比して、ファイルは源のアドレッシングによって得られるのではなく、対応する番組と並列に受信され、従って受信器レベルにおいて直接的に恒久的に利用可能である。従って、ファイルを検索するためにメッセージ網を介してダウンロードの要求を行うことは必要でない。他方で、ファイルが関連する番組の放送と同時に伝送されるよう、送信レベルにおいて特定の準備をせねばならない。
【００３６】
望ましくは、オーディオ及び／又はビデオ番組はファイルの列と結びつけられたリンク信号の担体であり、抽出手段はリンク信号を抽出するよう設計される。
【００３７】
他の実施例によれば、第１のカテゴリの第２の形式の場合のように、情報抽出手段は自動認識モジュール及び情報割当てモジュールを含む。
【００３８】
ファイルのダウンロードは、望ましくは、ディジタルブーケ（ｄｉｇｉｔａｌ ｂｏｕｑｕｅｔ）上で映画を購入することに関して当業者に知られている技術に従って、トークンのシステムを通じて課金されることが望ましい。
【００３９】
この第２のカテゴリの第１の特定の形式によれば、ファイル列と番組は、同じトランスポートストリーム（ＴＳ）内で多重化された形式で注文システムに到達する。この場合、番組リンク信号は、各ＴＳ中で、番組に関連するパケットとファイルに関連するパケットを区別することを可能とする標識（２つの種類の標識が従来通り番組に組み込まれると見なされている）であり、分岐モジュールは多重分離機能を有する。この形式は、周波数の変化を必要としないため、高速である。しかしながら、番組放送装置には高い機能が与えられねばならない。
【００４０】
第２のカテゴリの第２の形式によれば、ファイル列及び番組は、望ましくは同一のディジタルブーケ上で、別々に同期されて注文システムに到達し、デコーダは２つのチューナを有する。ユーザは、ファイルがデコードされ記録されている間に進行中の番組を監視し続けることができる。
【００４１】
この第２のカテゴリの第３の形式によれば、受信器はディジタルデコーダと切換ブロックとを含み、切換ブロックは、トリガ手段が有効化手段によって作動されたときは前記デコーダを前記オーディオ及び／又はビデオ番組のうちの少なくとも一つからオーディオ及び／又はビデオ番組に対応するファイルの列へ切り換え、番組に関連するファイルのダウンロードが完了したときはデコーダを列から番組へ切り換える。この実施例は、デコーダに関連付けられる一つのチューナがあるときに用いられる。ダウンロード動作中、ユーザへの番組の放送は一時的に中断され、例えばユーザに対してスタンバイ画面が表示される。
【００４２】
第２のカテゴリの第２及び第３の形式では、番組及びファイルは２つの別々のチャンネルに従って夫々放送される。受信器（例えばデコーダ）は、番組チャンネル上の接続を補足するものとして（第２の形式）又は一つから他へトグルすること又はとぶことにより（第３の形式）、ダウンロード中にファイル伝送チャネルに接続される。
【００４３】
例えば、ビデオクリップを放送する主チャンネルに隣接するチャンネル（例えばＤＶＢサービス）は、ＭＰ３チャンクの放送に完全に専用である。チャンネルの帯域幅全体は、このようにＭＰ３ファイルのループ式の放送に予約され、オーディオ及び／又はビデオ列はその中では放送されない。
【００４４】
第１及び第２のカテゴリの種々の実施例は、有利に組み合わされ、従って注文システムはこのように番組及びファイルを相互に関連付ける幾つかの技術と互換性がある能力を有する。
【００４５】
望ましくは、注文システムはユーザへ宛てたメッセージを生成する手段を含み、メッセージはオーディオ及び／又はビデオ番組の受信中に有効化手段が使用されうることをユーザに示す。
【００４６】
このように、ＴＶ番組については、ユーザは、画面上に（ビデオの上方に）小さいファイル注文ウィンドウ、又はティーザー（ｔｅａｓｅｒ）が表示されることによりファイル（例えば音楽又は映画）を注文する可能性について知らされる。遠隔制御装置の有効化キーを単純に押すことにより（シングルクリック）、ユーザは適当なファイルのダウンロード動作をトリガする。望ましくは、注文ウィンドウは、画面から表示を消すための小さい中止ウィンドウが付け加えられる。ラジオについては、メッセージ生成手段は、発光ダイオード、即ちＬＥＤの点灯及び点滅を作動させるよう設計されることが有利である。有効化手段は、有利にはダウンロードキーにリンクされる。
【００４７】
ホームコンピュータを通じて、メッセージ生成手段は、番組受信ウィンドウと共にダウンロードボタンの表示を行わせることが有利である。
【００４８】
望ましくは、注文システムは、ダウンロードされたオーディオ及び／又はビデオファイルを記録媒体上に記録することを注文する手段を含み、この記録注文手段は、当該のファイルに対応するオーディオ及び／又はビデオ番組に関する詳細情報及び／又はファイルのダウンロードの条件に関する詳細情報を追加するよう設計されている。
【００４９】
追加される詳細情報は、例えば番組に関連付けられるファイルの内容に関するものであり、楽曲の場合は題名、作曲者、アーティスト、持続時間等であり、映画の場合は、題名、監督、役者、年度、言語、持続時間等である。これらは、有利には、ダウンロードの条件、即ちダウンロードの日付、ファイルの種別（例：ＭＰ３）、及び可能であればファイルの出所も示す。
【００５０】
本発明はまた、オーディオ及び／又はビデオ番組を放送する装置に関する。本発明によれば、この装置は、オーディオ及び／又はビデオ番組にこの番組に対応するオーディオ及び／又はビデオファイルを識別する信号を組み込む手段を含む。
【００５１】
このような装置は、本発明の実施例の第１のカテゴリの第１の形式に従ったファイル注文システムに組み込まれることが意図される。他の適用によれば、識別信号は、ユーザがファイルのリストに基づいて注文を行うことができるよう、受信器のデータベース中に読み取り可能又は聞き取り可能な形式で自動的に記録されるよう設計される。
【００５２】
本発明はまた、オーディオ及び／又はビデオファイルの列を伝送する伝送組立体に関する。本発明によれば、この伝送組立体は、
伝送されるオーディオ及び／又はビデオ番組に対応するオーディオ及び／又はビデオファイルの列を伝送する手段と、
伝送手段と協働し、ファイルの列が対応する番組と同時に伝送されるようファイルの伝送を管理することが可能な同期手段とを含む。
【００５３】
このような装置は、実施例の第２のカテゴリによるファイル注文システムと協働することが意図されることが望ましい。
【００５４】
望ましくは、この伝送組立体は、各番組の放送中にループで伝送するよう設計され、オーディオ及び／又はビデオファイルは番組に対応する。このループ式の、即ち、「カルセル」式の伝送により、ダウンロード動作は番組の放送の全体に亘って実行されうる。
【００５５】
例えば、伝送組立体は、放送手段による放送と同期して、これらのファイルに関連するビデオクリップの音楽ファイルＭＰ３をループ式に伝送する。ここで、
・ビデオクリップの平均持続時間が３分間であり、
・ＣＤ品質の対応するＭＰ３ファイルのサイズが３メガバイトであり、
・適度なサービスのスループットが０．５メガバイト毎秒であるとき、
ＭＰ３で符号化されたチャンクの伝送の、即ちダウンロードの平均持続時間は、６秒間である。従って、ＭＰ３ファイルは、対応するクリップの放送中に３０回放送される。このように、ユーザは、クリップの放送中の任意の時間においてこのチャンクをダウンロードすることを選択しうる。クリップが殆ど終了しているときであっても（終わりから６秒に至るまでは）、遅すぎることはない。
【００５６】
更に、伝送組立体は、有利には、オーディオ及び／又はビデオ番組を放送する手段と、ファイル列の伝送手段及び番組の放送手段と協働し、同じトランスポートストリーム上にオーディオ及び／又はビデオ番組と対応するファイルを多重化することが意図される多重化手段とを含む。
【００５７】
番組及び対応するファイルは、望ましくは実施例の第２のカテゴリの第２の形式に従った注文システムによって、このように周波数を変化させる必要なしに、従って高速に、再構築されうる。
【００５８】
本発明はまた、リアルタイムで放送されるオーディオ及び／又はビデオ番組用の受信器に組み込まれることが意図されるソフトウエア製品に適用される。本発明によれば、ソフトウエア製品は、オーディオ及び／又はビデオ番組に対応するオーディオ及び／又はビデオファイルに関する情報のための抽出機能を含み、本発明の実施例のうちのいずれか一つに従った注文システムの情報抽出手段を具現化することが可能である。
【００５９】
「ソフトウエア製品」という表現は、特に、例えばディスク、ディスケット、或いはカセット等の媒体上の、又は、例えばインターネットからのダウンロード等の信号形式の、ソフトウエア又はコンピュータプログラムを具現化したものを意味するものと理解される。
【００６０】
本発明はまた、オーディオ及び／又はビデオ番組に適用される。本発明によれば、この番組は、番組に対応する少なくとも１つのオーディオ及び／又はビデオファイルを識別する信号の担体である。
【００６１】
オーディオ及び／又はビデオ番組は、本発明による放送装置によって取得され、及び／又は、実施例の第１のカテゴリの第１の形式に従った注文システムを意図したものであることが望ましい。
【００６２】
本発明の他の主題はトランスポートストリームである。本発明によれば、これは、少なくとも一つのオーディオ及び／又はビデオ番組と、当該番組に対応する少なくとも一つのオーディオ及び／又はビデオファイルとを含む。
【００６３】
このトランスポートストリームは、本発明による転送組立体によって取得され、及び／又は、実施例の第２のカテゴリの第１の形式に従った注文システムのためのものであることが望ましい。
【００６４】
本発明はまたオーディオ及び／又はビデオ番組用の受信器に適用される。本発明によれば、この受信器は本発明による注文システムを含む。受信器は、ＲＦ又はディジタルテレビジョン、ＲＦ又はディジタルラジオ、ホームコンピュータ、及びディジタルデコーダから選択されることが有利である。
【００６５】
第１の例によれば、受信器はユーザがビデオクリップを見るのに用いるテレビジョン又はコンピュータである。ユーザがある歌が好きであり「ＭＰ３」ティーザーが表示されると、ユーザはティーザー上をクリックすることができ、その歌をすぐに又は後にダウンロードするオプションが与えられる。なされた選択に基づいて、「アーティスト・曲名・ダウンロードの日付」の情報をもつＭＰ３オーディオファイルが受信器の記憶装置に入れられる。
【００６６】
第２の例では、受信器はアナログラジオである。ユーザはチャンネルに接続し、現在放送されている歌を記録しようとする。ＬＥＤ表示器が点滅していれば、単純にダウンロードキーを押すことにより、ユーザは歌のＭＰ３バージョン全体を取り出すことが可能である。
【００６７】
更に、受信器は、記録媒体へダウンロードされるファイルを管理する管理システムを含むことが望ましい。この管理システムは、
ダウンロードされたファイルをユーザによって照会可能な少なくとも１つのリストへ自動的に追加し、
リストに含まれたファイルをユーザが削除することを許可し、
ユーザからの要求に応じて、リストに含まれる各ファイルの読み出しを許可するよう設計される。
【００６８】
ファイルの「読み出し」という用語は、ファイルの可能なデコードと、受信器によりオーディオ及び／又はビデオ形式でユーザへ直接（楽曲が演奏される、映画が画面上で上映される等）又は外部装置へ伝送されることによりファイルが放送されることとを意味するものと理解される。
【００６９】
受信器は、このようにファイルのデータベースとして使用されうる。例えば、テレビジョンは記録された楽曲を演奏するジュークボックスとして使用される。
【００７０】
本発明は更に、オーディオ及び／又はビデオ番組を放送する方法に関する。
【００７１】
これらの方法のうちの第１の方法によれば、番組に対応する少なくとも１つのオーディオ及び／又はビデオファイルを識別する少なくとも１つの信号が、放送前に当該の番組に組み入れられる。この方法は、実施例の第１のカテゴリの第１の形式に従う注文システムのためであることが望ましい。
【００７２】
これらの放送方法のうちの第２の方法によれば、放送の前に、オーディオ及び／又はビデオ番組は当該の番組に対応する少なくとも１つのオーディオ及び／又はビデオファイルと多重化される。この方法は、望ましくは実施例の第２のカテゴリの第１の形式に従った注文システムのためである。
【００７３】
添付の図面を参照して、以下の全体として制限的でない典型的な実施例によって、本発明は、よりよく理解され例示されるであろう。
【００７４】
本願に示す種々の実施例では、同一の又は同様の実体は同一の参照番号で示す。対応する実体が幾つかの実施例で互いにかなり異なる場合、全てのこれらの実体の包括的な参照番号は同一の数値とし、種々の実施例に関連する特定の参照番号はこの数値の後に英字の添え字（Ａ−Ｅ）が続くものとする。
【００７５】
図中、本願発明に関連のある重要な要素のみを示すものとする。
【００７６】
リアルタイムで放送される視聴覚番組５の受信器１を構成するテレビジョン（図１）は、オーディオ及び／又はビデオファイルＦの注文システム３を含む。受信器１は、ダウンロードされたファイルＦを記録する記憶システム４に接続される。注文システム３は、受信器１のユーザが、遠隔制御装置２による有効化により、進行中の伝送に対応する１つ又はそれ以上のファイルＦの列６のダウンロードを簡単にトリガすることを可能とする。上述の例では、番組及びファイルは圧縮されたディジタル形式である。
【００７７】
より正確には（図２）、受信器１は、モデム及び復号化（デコード）ユニットを含む番組５の受信手段１０、復号化された番組５の画面上への放送手段１１、及び、記憶システム４へのファイルのダウンロード手段１７を含む。
【００７８】
更に、管理システム１８は、ダウンロードされたファイルＦの１つ又はそれ以上のリストの管理、即ち、ユーザによる照会、ファイルの追加又は削除、ユーザからの要求に応じたファイルＦのうちの１つの読み出しの開始（復号化を含む）を専ら行う。簡単化のため、図２には、記憶システム４と管理システム１８の間のリンク、並びに、復号化手段（受信手段１０）と放送手段１１の間のリンクは示していない。
【００７９】
ファイル注文システム３は、特に、ユーザによって監視される伝送に対応する１つ又はそれ以上のファイルＦを注文するために必要な情報を、その伝送自体に基づいて決定する機能を有する。このために、有効化手段１４によって作動されうる受信手段１０に接続された情報抽出手段１２を含み、有効化手段１４は遠隔制御装置２の（「ＯＫ」キーの種類の）キーを押すことによって開始させることが可能である。抽出手段１２は、注文システム３に含まれるダウンロードトリガ手段１６に接続され、ダウンロード手段１７に対して作用することが可能である。
【００８０】
更に、注文システム３は、記憶システム４に記録されたファイルＦを対応する番組５に関する詳細情報（タイトル、作者／監督、持続時間等）及びダウンロード条件に関する詳細情報（日付、ファイルの源等）で捕捉するための、ダウンロード手段１７に接続された記録注文手段１５を含む。これらの詳細情報は、基本的にはダウンロードされたファイルＦの中に直接的に取得することができる。変形例では、情報のうちの幾らかは抽出手段１２から発せられる。例えば日付といった他の詳細情報もまた他の方法で取得されうる（ローカルスケジュール）。
【００８１】
注文システム３はまた、放送手段１１にリンクされたメッセージ生成手段１３を含む。これらのメッセージ生成手段１３は、受信器１の画面上に注文ウィンドウを表示させるためのものである。例えば、このウィンドウは、放送される画像に重ね合わせてテレビジョン画面の隅に表示されるティーザー（ｔｅａｓｅｒ）である。
【００８２】
第１の変形例では、受信器１はホームコンピュータであり、遠隔制御装置２はマウス又はトラックボールで置き換えられている。注文画面を伴うメッセージは、例えば受信された番組を表示するためのウィンドウに隣接する小さいウィンドウに表示される。
【００８３】
第２の変形例では、受信器１はラジオであり、遠隔制御装置２はダウンロードボタンで置き換えられている。メッセージは、例えばＬＥＤの点滅の形で聴取者へ伝えられる。
【００８４】
ここで、幾つかの特定的な実施例について説明する。実施例の第１のカテゴリ（図３）では、参照番号１Ａ又は１Ｂで示される受信器１は、識別されたファイルＦをデータサーバ２０から注文する。受信器１とサーバ２０の間の転送は、例えばインターネットといった電子メッセージ通信を介して行われる。
【００８５】
この第１のカテゴリの第１の形式によれば（図４乃至図６）、受信器１Ａで受信される参照番号５Ａで示される番組５は、適切なファイルＦを取得するために必要な全ての情報、即ちサーバ２０のアドレス及びファイルＦに対する識別コードを与える識別信号２３の担体である。このような信号２３は、放送装置２１Ａによって番組５に組み込まれる（図４）。すると情報抽出手段１２Ａ（図５）は識別信号２３を抽出することが可能であり、ダウンロードトリガ手段１６Ａは、サーバ２０からの識別信号２３に関連付けられるファイルＦを列６Ａの形で要求することが可能なアドレッシングモジュール３０を含む。
【００８６】
動作中、以下の処理が順に実行される（図６）。
・有効化手段１４によるダウンロードの開始（ステップ４１）。
・サーバ２０、並びに、情報抽出手段１２によってダウンロードされるべきファイルＦの識別（ステップ４２）。
・ダウンロード手段１７によるサーバ２０の呼び出し（ステップ４３）。
・受信器１のユーザの識別情報でサーバ２０へ接続（ステップ４４）。
・接続テスト（ステップ４５）：接続が拒否された場合は「サーバレベルで参照されていないユーザ」エラーメッセージを表示し（ステップ４６）、直ぐに再試行（ステップ４７）。
・接続が許可された場合は、ファイルＦのダウンロード（ステップ４８）。
・ダウンロードの終了のテスト（ステップ４９）。エラーが検出されれば、「ダウンロードエラーが発生」エラーメッセージを表示する（ステップ５０）。
・ダウンロードが通常通り終了すれば、ダウンロードされたファイルＦを記憶装置４へ記憶（ステップ５１）。
・「ダウンロード終了」を表示（ステップ５２）。
【００８７】
この第１のカテゴリの第２の形式によれば（図７）、受信器１Ｂによって受信される番組５Ｂはどの特定の処理も受けていない。情報抽出手段１２Ｂは、ＥＰＧ３３にリンクされた自動認識モジュール３１と、情報割当てモジュール３２とを含む。認識モジュール３１は、チャンネル及びスケジュールに関する必要な標識を与えるＥＰＧ３３を用いることによって、受信された伝送を自動的に認識し、割当てモジュール３２は、このようにして識別された伝送をダウンロードに必要な情報と関連付ける。この情報は、予め割当てモジュール３２に与えられる。変形例では、これはＥＰＧ３３で直接入手可能である。するとトリガ手段１６Ｂは、ファイル列６Ｂのダウンロードを生じさせることが可能である。
【００８８】
実施例の第２のカテゴリでは（図８）、参照番号１Ｃ、１Ｄ、又は１Ｅで示された受信器１は、番組５Ｃ乃至５Ｅだけでなく、対応するファイルＦの列６も同期して受信する。すると、ファイルＦを取得するためにはデータ源への要求は必要ではなく、ファイルＦは受信器１において直接入手可能である。例えば、ファイルＦは完全にファイルの伝送に専用のＤＶＢチャンネル上で放送される。ファイルＦは列６としてカルセル式に伝送され、対応する番組の放送時間全体に亘って同一のファイルが繰り返し伝送される。
【００８９】
上述の例では、番組５Ｃ乃至５Ｅは、関連付けられるファイルＦの列６Ｃ乃至６Ｅに関連付けられるリンク信号２４を含む。情報抽出手段１２は、これらのリンクを識別し、ファイルＦの伝送を分岐するのに必要な情報をダウンロードトリガ手段１６へ送信することが可能である。他の実施例では、このようなリンク信号２４は番組５にはなく、情報抽出手段１２は第１のカテゴリの第２の形式（図７）の抽出手段１２Ｂのものと同様の機能を有する。
【００９０】
この第２のカテゴリの第１の形式（図９及び図１０）によれば、番組５Ｃとファイル列６Ｃは伝送組立体２８Ｃにより多重化された列７の形で伝送される。伝送組立体２８Ｃは、参照番号５Ｃ−０で示された番組５の放送手段２１Ｃと、参照番号６Ｃ−０で示されたファイルＦの列６のカルセル式送信手段２５と、２つの放送装置の同期手段２６とを含む。同期手段２６は、ファイルＦが対応する番組５の放送中に実際に伝達されることを確実とすることを可能とする。
【００９１】
伝送組立体２８はまた、多重化された列７を形成するために、番組５Ｃ−０及びファイルの列６Ｃ−０を多重化する手段２７を含む。これらの多重化された列７の夫々は、番組パケット５Ｃ並びにファイル列６Ｃを含むトランスポートストリームからなる。
【００９２】
リンク信号２４は、特に各パケットのヘッダの識別情報によって得られる多重化された列７の番組中に暗黙的に存在する。
【００９３】
受信器１Ｃ（図１０）は、チューナ３７の出力にデマルチプレクサ３６を含む参照番号１０Ｃで示された受信手段１０を有する。デマルチプレクサ３６は、チューナ３７によって受信される多重化された列７から番組５Ｃ−０及びファイルＦの列６Ｃ−０を抽出することが意図され、従って注文システム３の情報の抽出手段１２Ｃを含む。これらの抽出手段１２Ｃは、特にファイルの開始及び終了のコードを識別することが意図される。トリガ手段１６Ｃが作動すると、マルチプレクサ３６はファイルＦが記憶されるようダウンロード手段１７に列６Ｃ−０を与える。
【００９４】
この第２のカテゴリの第２及び第３の形式（図１１乃至図１４）によれば、番組５Ｄ又は５Ｅと、列６Ｄ又は６Ｅとは、別々に伝送され、すなわち、番組５Ｄ又は５Ｅは伝送組立体２８又は２８Ｅの放送手段２１Ｄ−２１Ｅによって、列６Ｄ又は６Ｅは伝送組立体２８又は２８Ｅの同期手段２６によって制御される伝送手段２５によって伝送される（図１１）。放送手段２１は伝送される番組５にリンク信号２４を組み込み、リンク信号は列６へ分岐するための識別情報を含む。例えば、同一のディジタルブーケ上で、番組５は第１のＤＶＢサービス上で放送され、列６は第２のＤＶＢサービス上で放送される。この場合、リンク信号２４は第２のサービスのＳＩＤ（サービス識別情報）を含む。
【００９５】
第２の実施例（図１２）では、受信手段１０Ｄは、夫々が番組５とファイル列６Ｄを受信するよう設計された２つのチューナ３８と３９を含む。情報抽出手段１２Ｄは、ユーザからの要求に応じて、番組５Ｄ中のリンク信号を取得し、第２のチューナ３９をファイルＦの伝送上へ分岐させるのに必要な詳細情報をダウンロードトリガ手段１６Ｄへ転送することが可能である。トリガ手段１６Ｄは、チューナ３９の正しい分岐と、ダウンロード手段１７、そして記憶システム４へのファイルＦのダウンロードを生じさせるよう設計される。
【００９６】
第３の実施例（図１３）では、受信手段１０Ｅは、切換ブロック３５の下流の単一のチューナ３７を含む。切換ブロック３５は、ユーザが伝送を見ているときに番組５Ｅに接続され、ファイルのダウンロード中はファイルＦの列６Ｅをトグルさせることが意図される。従って、チューナ３７が番組５Ｅを受信するモードにあるとき、情報抽出手段１２Ｅはユーザからの要求に応じて、番組５Ｅ中のリンク信号２４を取得し、チューナ３７をファイルＦの伝送へ分岐させるのに必要な詳細情報をダウンロードトリガ手段１６Ｅへ転送することが可能である。トリガ手段１６Ｅは、チューナ３７をファイル列６Ｅ受信モードにするため及びそれに対応してファイルＦのダウンロード手段１７そして記憶システム４へのダウンロードをトリガするよう、切換ブロック３５に対して動作しうる。
【００９７】
動作中、以下のステップが順次に実行される（図１４）。
・有効化手段１４によるダウンロードの開始（ステップ６１）。
・抽出手段１２Ｅによるダウンロードに専用のサービスのＳＩＤの検索（ステップ６２）。
・切換ブロック３５をダウンロードに専用のサービスへとぶ（ステップ６３）。
・ダウンロードされるべきファイルＦの開始に対応するコードを待つ（ステップ６４）。
・ファイルの開始の検出のテスト（ステップ６５）：検出が行われなければ、エラーメッセージ「この曲のダウンロード期限は過ぎました。再放送の間にダウンロードするようプログラムしますか」を表示（ステップ６６）。
・ファイルの開始が検出された場合、ファイルＦをダウンロード（ステップ６７）。
・ダウンロードの終了をテスト（ステップ６８）：エラーが検出された場合は、「ダウンロードエラー発生」を表示（ステップ６９）。
・ダウンロードが正常に終了した場合は、ダウンロードされたファイルＦを記憶手段４に記憶（ステップ７０）。
・「ダウンロード終了」を表示（ステップ７１）。
【図面の簡単な説明】
【図１】
記憶システムに関連する本発明による受信器を示す基本的な図である。
【図２】
図１の受信器に含まれるファイル注文システムと、注文システムに接続された受信器の他の要素とを示す図である。
【図３】
注文システムの実施例の第１のカテゴリの適用を示す図である。
【図４】
図３の実施例の第１の形式において使用される放送装置を示す図である。
【図５】
図３及び図４の実施例の第１の形式において使用される受信器の主な要素を示す図である。
【図６】
図３乃至図６に示す実施例の第１の形式によって実行される動作を示すフローチャートである。
【図７】
図３の実施例の第２の形式において用いられる受信器の主な要素を示す図である。
【図８】
注文システムの実施例の第２のカテゴリの適用を示す図である。
【図９】
図８の実施例の第１の形式において用いられる伝送組立体を示す図である。
【図１０】
図８及び図９の実施例の第１の形式において用いられる受信器の主な要素を示す図である。
【図１１】
図８の実施例の第２の形式及び第３の形式において用いられる伝送組立体を示す図である。
【図１２】
図８及び図１１の実施例の第２の形式において用いられる受信器の主な要素を示す図である。
【図１３】
図８及び図１１の実施例の第３の形式において用いられる受信器の主な要素を示す図である。
【図１４】
図８、図１１、及び図１３に示される実施例の第３の形式に従って実行される動作を示すフローチャートである。
【図３】
2004526361.tif 000003
【図６】
2004526361.tif 000004
【図８】
2004526361.tif 000005
【図９】
2004526361.tif 000006
【図１０】
2004526361.tif 000007
【図１１】
2004526361.tif 000008
【図１２】
2004526361.tif 000009
【図１３】
2004526361.tif 000010
【図１４】
2004526361.tif 000011
【国際公開パンフレット】
2004526361.tif 000012
2004526361.tif 000013
2004526361.tif 000014
2004526361.tif 000015
2004526361.tif 000016
2004526361.tif 000017
2004526361.tif 000018
2004526361.tif 000019
2004526361.tif 000020
2004526361.tif 000021
2004526361.tif 000022
2004526361.tif 000023
2004526361.tif 000024
2004526361.tif 000025
2004526361.tif 000026
2004526361.tif 000027
2004526361.tif 000028
2004526361.tif 000029
2004526361.tif 000030
2004526361.tif 000031
2004526361.tif 000032
2004526361.tif 000033
2004526361.tif 000034
2004526361.tif 000035
2004526361.tif 000036
2004526361.tif 000037
2004526361.tif 000038
2004526361.tif 000039
2004526361.tif 000040
2004526361.tif 000041
2004526361.tif 000042
2004526361.tif 000043
2004526361.tif 000044
2004526361.tif 000045
2004526361.tif 000046
2004526361.tif 000047
2004526361.tif 000048
2004526361.tif 000049
2004526361.tif 000050
2004526361.tif 000051
2004526361.tif 000052
2004526361.tif 000053
2004526361.tif 000054
2004526361.tif 000055
【国際調査報告】
2004526361.tif 000056
2004526361.tif 000057
2004526361.tif 000058
2004526361.tif 000059